(57)【要約】  【課題】天板下の下肢空間に配置したワゴン等が浪費するデッドスペースをできうる限り縮小する。  【解決手段】ベース１１と、ベース１１より立ち上がる脚側板１２とを具備する脚１を左右両側に配し、これらの脚１に天板２を支持させてなるデスクＤにおいて、前記脚側板１２の内側面１２ａを前記ベース１１の内方端１１ｂよりも外方に位置づけ、なおかつ、前記ベース１１の前記脚側板１２より内方にある部位の上面１１ａを、キャスターＷ１が装着されたワゴンＷ等の下端Ｗａよりも下方に設定した。  【選択図】図２
2006068166.tif 000002
【特許請求の範囲】
【請求項１】
ベースと、ベースより立ち上がる脚側板とを具備する脚に天板を支持させてなるデスクであって、
前記脚側板の内側面を前記ベースの内方端よりも外方に位置づけ、
なおかつ、前記ベースの前記脚側板より内方にある部位の上面を、キャスターが装着され当該デスクとともに用いられる所定の什器の下端よりも下方に設定していることを特徴とするデスク。
【請求項２】
前記脚側板の内側面を前記ベースの幅寸法の中央よりも外方に位置づけている請求項１記載のデスク。
【請求項３】
前記脚側板の外側面を前記ベースの外方端に略一致させまたはベースの外方端よりも内方に位置づけている請求項１または２記載のデスク。
【請求項４】
前記脚側板の後端より側方に屈曲する屈曲部を形成している請求項１、２または３記載のデスク。
【請求項５】
前記什器がワゴンである請求項１、２、３または４記載のデスク。
【請求項６】
前記什器が棚である請求項１、２、３または４記載のデスク。
【請求項７】
前記脚の後端部における前記ベースの上面よりも高い位置にキャスター取付部を設け、このキャスター取付部の下面にキャスターを取り付けている請求項１、２、３、４、５または６記載のデスク。
【請求項８】
前記ベースと前記キャスター取付部とを別体としている請求項７記載のデスク。
【発明の詳細な説明】
【技術分野】
【０００１】
本発明は、オフィス等において好適に用いられるデスクに関する。
【背景技術】
【０００２】
従来より、デスクの天板下の下肢空間に他の什器、例えば抽斗を有するワゴンを配置して、デスクとともに使用するようなことが少なくない（例えば、下記特許文献を参照）。
【特許文献１】特開２００３−２１９９１２号公報
【発明の開示】
【発明が解決しようとする課題】
【０００３】
当然のことではあるが、下肢空間にワゴン等の什器を配置すればその分だけ下肢空間が占拠される。一方で、下肢空間は、着座して作業を行うユーザの下肢が収まる空間領域でもあり、使い勝手の悪化を招かないためにはできる限りゆとりがあった方がよい。
【０００４】
以上に鑑みてなされた本発明は、ワゴン等の什器が浪費してしまうデッドスペースをできうる限り縮小することをその所期の目的としている。
【課題を解決するための手段】
【０００５】
上述した課題を解決するべく、本発明では、ベースと、ベースより立ち上がる脚側板とを具備する脚に天板を支持させてなるデスクにあって、前記脚側板の内側面を前記ベースの内方端よりも外方に（より好ましくは、ベースの幅寸法の中央よりも外方に）位置づけ、なおかつ、前記ベースの前記脚側板より内方にある部位の上面を、キャスターが装着された所定の什器（典型的には、ワゴン）の下端よりも下方に設定した。
【０００６】
このようなものであれば、ベースの上面よりも什器の下端の方が高位置となるため、什器の側端部をベースの上方にオーバーラップさせて什器を脚側板の内側面に近接ないし当接させることができる。つまり、従来のデスクと比較して什器をより外側方へ寄せることができ、什器によるデッドスペースを縮小することができる。従って、下肢空間に配置される什器が下肢空間を浪費する問題が解消される。さらに、ベースの幅寸法を狭小化せずに済むため、デスクの構造的安定性を損なうことがなく、アジャスター等のベースへの取り付けにも支障を来さない。
【０００７】
前記脚側板を薄型のものとし、その外側面を前記ベースの外方端に略一致させまたはベースの外方端よりも内方に位置づけるならば、デスクの外法寸法の大型化を避けられる。
【０００８】
前記脚側板の後端より側方に屈曲する屈曲部を形成するならば、脚側板を薄型化した場合にも脚側板の剛性を担保できる。但し、ここでは、デスクを使用するユーザが着座する使用端側を前方、反使用端側を後方と定義している。
【０００９】
前記脚の後端部における前記ベースの上面よりも高い位置にキャスター取付部を設け、このキャスター取付部の下面にキャスターを取り付けるならば、ベースの下面にキャスターを取り付けないものとして、無理なくベースの上面を低位置に設定することができる。
【００１０】
並びに、前記キャスター取付部を前記ベースより独立させた別体とすれば、ベースの部材形状の複雑化を回避できる。
【発明の効果】
【００１１】
本発明によれば、下肢空間に配置されるワゴン等の什器が浪費するデッドスペースを縮小することができる。
【発明を実施するための最良の形態】
【００１２】
以下、本発明の一実施形態を、図面を参照して説明する。図１ないし図５に示すように、本実施形態のデスクＤは、左右両側に配した脚１と、これら脚１に支持させた天板２とを主要な構成要素とする。
【００１３】
左右の脚１は、原則として対称である。脚１は、ベース１１と、ベース１１より略垂直に立ち上がる脚側板１２と、脚側板１２の上端部に取り付けたステー１３とを具備する。ベース１１は、その上面が所定の什器たるワゴンＷ等の下端Ｗａよりも下方に位置するように成形した上下に薄い部材であり、平面視前後に伸びる略方形状の外形をなす。キャスターＷ１が装着されたワゴンＷ等の什器の下端Ｗａは、床面から４５ｍｍ程度浮上した位置に支持されることが通例である。従って、ベース１１の上面１１ａは、床面から約３０ｍｍ離間した位置か、またはそれよりも低位置に設定することが望ましい。ベース１１の前端部における上面は、傾斜面となっている。また、ベース１１の下面にアジャスター１１１を装着してある。なお、ベース１１にはキャスター１５を装着しない。
【００１４】
脚側板１２は、ベース１１よりも幅薄の板状体の後端に内側方に屈曲する屈曲部１２１を設けた平面視略Ｌ字型の外形をなす部材であり、例えば押出成形品として製造される。脚側板１２の後端部の入隅は、Ｒをとってある。脚側板１２の下端はベース１１の上面１１ａに接合しており、脚側板１２の内側面１２ａはベース１１の幅寸法の中央よりも外方に位置し、かつ脚側板１２の外側面１２ｂはベース１１の外方端１１ｃに略一致、またはベース１１の外方端１１ｃよりも内方に位置する。脚側板１２の後端は、ベース１１の後端に略一致する。
【００１５】
ステー１３は、天板２の下面に接合して天板２を下方より支持する。ステー１３は、前後に延伸する中空の角パイプ材であり、少なくともその前端を蓋体で閉止している。ステー１３は、ブラケット４を介して脚側板１２の内側面１２ａに取り付ける。
【００１６】
ブラケット４は、板金材を折曲加工してなり、図６、図７に示すように、略水平な接合部４１と、接合部４１の内方端より屈曲して垂下する垂下部４２と、垂下部４２より内側方に突出する支持部４３とを具備する。詳述すると、接合部４１は、脚側板１２の上面を略被覆するような平面視形状をなす。図示例では、脚側板１２と略同等の幅寸法を有し脚側板１２よりも前後に長尺な薄板の後方部位を内側方に拡張した形状となっている。そして、この内側方に拡張する部位よりも前方で、略鉛直下方に延出する垂下部４２を形成している。垂下部４２は、ステー１３と略同等の上下寸法を有しており、その下端で屈曲して内側方に延出する支持部４３と連続する。支持部４３は、ステー１３と略同等の幅寸法を有し、略水平姿勢をとる。支持部４３の内側縁には、略鉛直上方に突出する突条４４を設けている。
【００１７】
ステー１３の脚側板１２への取り付けに際しては、図７に示すように、ブラケット４の接合部４１を脚側板１２の上面にボルト５１で締結する等により接合する。このとき、ブラケット４の垂下部４２の外側面は、脚側板１２の内側面１２ａに当接する。並びに、ステー１３を、ブラケット４の支持部４３の上に載置して両者を溶接する等により結着する。上記の結果、ステー１３が脚側板１２の内側面１２ａに添うように取り付けられる。脚側板１２に取り付けたステー１３の上面とブラケット４の接合部４１の上面とは略同一の高さ位置にあり、ともに天板２を支持する支持面となる。
【００１８】
しかして、天板２をステー１３及びブラケット４の上に載置し、ボルト５２、５３を使用してこれを固定すれば、本実施形態のデスクＤの基本構成が完成する。天板２の後端は、脚側板１２の後端よりも後方にオーバーハングする。天板２の幅方向の中央部位における後端縁には凹欠２１を切り欠いており、給電コードや通信ケーブル等のコード類を挿通し得るようにしている。因みに、ブラケット４の接合部４１の後端には、略鉛直下方に突出する突片４５を設けてある。本実施形態では、この突片４５の後向面と天板２の後端面とを略面一としている。突片４５は、同種のデスクＤの後端同士を突き合わせて配置する場合に機能する。
【００１９】
さらに、脚１の後端部にキャスター１５を装着している。本実施形態では、脚側板１２の屈曲部１２１の後向面にキャスター取付部１４を設け、このキャスター取付部１４の下面にキャスター１５を取り付けている。キャスター取付部１４はベース１１より独立した部材であり、ベース１１の上面１１ａよりも高い位置にある。キャスター取付部１４は後方に延伸しているが、その後端は天板２の後端よりも手前に存在する。図示例では、左右の脚１の後端部に１個つづ、計２個のキャスター１５を装着しており、脚１の前端部にはキャスター１５を装着していない。デスクＤの移動は、デスクＤの前端側を持ち上げて行う。
【００２０】
加えて、天板２下の下肢空間を遮蔽する幕板３を、脚１の後端部間に張り設けている。具体的には、幕板３の左右両側端を、それぞれ対応する側の脚側板１２の屈曲部１２１の内方端に連結している。幕板３の後向面は、脚側板１２の後端面即ち屈曲部１２１の後向面と略面一となる。
【００２１】
本実施形態のデスクＤの下肢空間にワゴンＷを配置しようとするとき、その下端Ｗａ、言い換えるならばキャスターＷ１に支持され抽斗を収容する筐体の下端Ｗａがベース１１の上面１１ａよりも高位置にあることから、図２、図３、図５に示しているように、ワゴンＷの側端部をベース１１の上方にオーバーラップさせてワゴンＷを脚側板１２の内側面１２ａに近接ないし当接させることが可能である。つまり、ベース１１の内方端を越えてワゴンＷを外側方へ寄せることができ、ワゴンＷによるデッドスペースを極小化できる。
【００２２】
本実施形態によれば、ベース１１と、ベース１１より立ち上がる脚側板１２とを具備する脚１に天板２を支持させてなるデスクＤにあって、前記脚側板１２の内側面１２ａを前記ベース１１の内方端１１ｂよりも外方に位置づけ、なおかつ、前記ベース１１の前記脚側板１２より内方にある部位の上面１１ａを、キャスターＷ１が装着された所定の什器Ｗの下端Ｗａよりも下方に設定したため、什器Ｗによるデッドスペースを縮小することができる。従って、下肢空間に配置される什器Ｗが下肢空間を浪費する問題が解消される。さらに、ベース１１の幅寸法を狭小化せずに済み、デスクＤの構造的安定性が損なわれず、アジャスター１１１のベース１１への取り付けにも支障を来さない。
【００２３】
前記脚側板１２を薄型のものとし、その外側面を前記ベース１１の外方端１１ｃに略一致させまたはベース１１の外方端１１ｃよりも内方に位置づけており、デスクＤの外法寸法の大型化を回避している。
【００２４】
前記脚側板１２の後端より側方に屈曲する屈曲部１２１を形成したため、薄型化した脚側板１２の剛性が担保される。
【００２５】
前記脚１の後端部における前記ベース１１の上面１１ａよりも高い位置にキャスター取付部１４を設け、このキャスター取付部１４の下面にキャスター１５を取り付けており、ベース１１の下面にキャスター１５を取り付けていないため、無理なくベース１１の上面１１ａを低位置に設定することができる。
【００２６】
並びに、前記キャスター取付部１４を前記ベース１１より独立させた別体としているため、ベース１１の部材形状の複雑化を招くことがない。
【００２７】
また、前記天板２の下面に接合して天板２を支持するステー１３を前記脚側板１２の側面に添え設けており、ステー１３を脚側板１２の直上に載置する必要がなく、あるいはステー１３を脚側板１２の前面に固設する必要がなく、脚側板１２の薄型化を容易たらしめている。
【００２８】
前記脚側板１２の上面に接合する接合部４１と、前記接合部４１より垂下し前記脚側板１２の側面に当接する垂下部４２と、前記垂下部４２より側方に突出し前記ステー１３を下方より支持する支持部４３とを具備するブラケット４を介して前記ステー１３を前記脚側板１２に取り付けているため、ブラケット４の取付構造が安定なものとなる。
【００２９】
なお、本発明は以上に詳述した実施形態に限られるものではない。特に、上述の脚１は、デスクＤの左右両側に配されるとは限られない。いわゆる袖机のように、脚１を一方側にのみ設けている態様を妨げない。勿論、左右両側に脚１を配していれば、ワゴンＷ等を左方にも右方にも配置できるという便益がある。
【００３０】
デスクＤとともに用いられる什器は、ワゴンＷには限られない。例えば、図８に示すようなキャスターＳ１が装着された棚ＳをデスクＤに付帯させるものとしてもよい。このときには、脚１のベース１１の上面１１ａを、棚板を支持する棚Ｓ本体（または、側板）の下端Ｓａよりも低位置に設定する。
【００３１】
上記実施形態ではステー１３を脚側板１２の内側面に添え設けているが、ステー１３を脚側板１２の上面に取り付けてもよい。あるいは、ステー１３を排除して脚側板１２のみで天板２を支持する態様とすることも考えられる。
【００３２】
その他各部の具体的構成は上記実施形態に限られるものではなく、本発明の趣旨を逸脱しない範囲で種々変形が可能である。
【図面の簡単な説明】
【００３３】
【図１】本発明の一実施形態におけるデスクを示す斜視図。
【図２】同実施形態のデスクを示す正面図。
【図３】同実施形態のデスクを示す側面図。
【図４】同実施形態のデスクを示す背面図。
【図５】同実施形態のデスクを示す平断面図。
【図６】ステーの脚側板への取付の構造を説明する要部正面図。
【図７】ステーの脚側板への取付の構造を説明する要部分解斜視図。
【図８】同実施形態のデスクの使用態様の一を示す正面図。
【符号の説明】
【００３４】
Ｄ…デスク
１…脚
１１…ベース
１１ａ…ベースの上面
１１ｂ…ベースの内方端
１１ｃ…ベースの外方端
１２…脚側板
１２ａ…脚側板の内側面
１２ｂ…脚側板の外側面
１２１…屈曲部
１４…キャスター取付部
１５…キャスター
２…天板
Ｗ、Ｓ…什器（ワゴン、棚）
Ｗａ、Ｓａ…什器の下端
【図１】
2006068166.tif 000003
【図２】
2006068166.tif 000004
【図３】
2006068166.tif 000005
【図４】
2006068166.tif 000006
【図５】
2006068166.tif 000007
【図６】
2006068166.tif 000008
【図７】
2006068166.tif 000009
【図８】
2006068166.tif 000010